(57)【要約】【課題】昇降機に合った通話回線の有効利用が可能な昇降機用データ通信システムの提供。【解決手段】上記課題は、昇降機の稼動及び診断のデータを取得する診断端末装置２〜２Ｎと、診断端末装置２〜２Ｎが取得したデータを通話回線３により収集して管理する管理センター装置４とを備え、管理センター装置４に、回線取得の優先順位の異なる通信内容５〜５Ｎの組合せパターン６〜６Ｎを複数個格納してなる割り当て処理部７と、割り当て処理部７によって通話回線３毎に組合せパターン６〜６Ｎが割り当てられた回線種別８〜８Ｎと、通信スケジュールを格納したデータベース９を設け、回線種別８〜８Ｎのなかで、同一の組合せパターン６〜６Ｎが割り当てられたものを回線種別グループ１０〜１０Ｎに設定し、かつ、データベース９の通信スケジュールに基づき通信内容５〜５Ｎの割り当てを変更することで、達成できる。【選択図】図１
2006319630.tif 000002
【特許請求の範囲】
【請求項１】
昇降機の稼動及び診断のデータを取得する複数個の診断端末装置と、この診断端末装置が取得したデータを複数個の通話回線により少なくとも収集して管理する管理センター装置とを備えてなる昇降機用データ通信システムにおいて、前記管理センター装置に、回線取得の優先順位の異なる複数個の通信内容の組合せパターンを複数個格納してなる割り当て処理部と、この割り当て処理部によって前記通話回線毎に前記組合せパターンが割り当てられた複数個の回線種別と、通信スケジュールを格納したデータベースとを、少なくとも設け、前記複数個の回線種別のうち、同一の組合せパターンが割り当てられたものを回線種別グループに設定し、かつ、前記データベースに格納された通信スケジュールに基づき前記通信内容の割り当てを変更可能にしたことを特徴とする昇降機用データ通信システム。
【請求項２】
前記通信内容の回線取得の優先順位を、緊急度に応じて設定可能にしたことを特徴とする請求項１記載の昇降機用データ通信システム。
【発明の詳細な説明】
【技術分野】
【０００１】
本発明は、昇降機用データ通信システムに関するものである。
【背景技術】
【０００２】
従来の昇降機用データ通信システムでは、その昇降機の稼動及び診断のデータを診断端末装置で取得し、その取得したデータを通信回線で診断端末装置から離れた場所に設置された管理センター装置で収集した後、その稼動及び診断のデータを管理することによって、顧客への昇降機診断等の報告サービスの向上及び昇降機の保守作業の効率化を図るようにしている。
【０００３】
そして、データ通信システムとしては、受信しようとするデータの種類またはその量を出力する入力要求手段と、受信しようとするデータに必要な伝送要求速度Ａを見積るデータ伝送要求速度見積り手段と、回線とその回線速度Ｂとを対応付けて記憶する回線速度テーブルとを備え、入力要求手段の出力に応答して、伝送要求速度Ａと等しい若しくは伝送要求速度Ａよりも大きい回線速度Ｂとなる通信回線を選択することにより、データ伝送要求速度の過不足を抑えることで、効率的な通信を可能にしたものが知られていた（例えば、特許文献１参照）。
【特許文献１】特開平１１−２９８６３１号公報（段落番号００００〜段落番号００００、図１）
【発明の開示】
【発明が解決しようとする課題】
【０００４】
しかしながら、上述した特開平１１−２９８６３１号公報に記載されたデータ通信システムでは、データの種類に対しての回線取得の優先順位、換言すれば、通信内容に対しての回線取得の優先順位については全く考慮されていない。そのため、昇降機の稼動及び診断のデータを診断端末装置で取得し、その取得したデータを管理センター装置で収集した後、その稼動及び診断のデータを管理するデータ通信システムにあっては、通信内容によって回線取得の優先順位があるので、通信回線を有効に利用することができず、回線や通信機器類の増設を強いられるという問題があった。
【０００５】
本発明は、上述した従来技術における実状からなされたもので、その目的は、昇降機に合った通信回線の有効利用を向上させることのできる昇降機用データ通信システムを提供することにある。
【課題を解決するための手段】
【０００６】
上記目的を達成するために、本発明は、昇降機の稼動及び診断のデータを取得する複数個の診断端末装置と、この診断端末装置が取得したデータを複数個の通話回線により少なくとも収集して管理する管理センター装置とを備えてなる昇降機用データ通信システムにおいて、前記管理センター装置に、回線取得の優先順位の異なる複数個の通信内容の組合せパターンを複数個格納してなる割り当て処理部と、この割り当て処理部によって前記通話回線毎に前記組合せパターンが割り当てられた複数個の回線種別と、通信スケジュールを格納したデータベースとを、少なくとも設け、前記複数個の回線種別のうち、同一の組合せパターンが割り当てられたものを回線種別グループに設定し、かつ、前記データベースに格納された通信スケジュールに基づき前記通信内容の割り当てを変更可能にしたことを特徴としている。
【０００７】
さらに、本発明は、前記通信内容の回線取得の優先順位を、緊急度に応じて設定可能にしたことを特徴としている。
【発明の効果】
【０００８】
本発明によれば、通信回線の利用率を向上させることによって、通信回線や通信機器類の増設を最小限に抑えることのできる昇降機用データ通信システムが得られる。
【発明を実施するための最良の形態】
【０００９】
以下、本発明に係る昇降機用データ通信システムの一実施形態を、図１及び図２に、基づいて説明する。図１は、本発明の一実施形態に係わり、昇降機用データ通信システムの要部構成を示すブロック図である。図２は、本発明の一実施形態に係わり、昇降機用データ通信システムおける診断端末装置の日別アクセス分布曲線図である。
【００１０】
図１に示す一実施形態の昇降機用データ通信システム１は、昇降機の稼動及び診断のデータを取得する複数個の診断端末装置２、２Ａ〜２Ｎと、この診断端末装置２、２Ａ〜２Ｎが取得したデータを公衆電話回線網などからなる複数個の通信回線３により少なくとも収集して管理する管理センター装置４とを備えている。診断端末装置２、２Ａ〜２Ｎは、建物に設置されたエレベーターなどの昇降機に接続される。
【００１１】
管理センター装置４は、回線取得の優先順位の異なる通信内容(通信の種類)５、５Ａ〜５Ｎの組合せパターン６、６Ａ〜６Ｎを複数個格納してなる割り当て処理部７と、この割り当て処理部７によって通信回線３毎に前記組合せパターン６、６Ａ〜６Ｎが割り当てられた複数個の回線種別８、８Ａ、８Ｂ、８Ｃ〜８Ｎと、通信スケジュールを格納したデータベース９とを、少なくとも設け、複数個の回線種別８、８Ａ、８Ｂ、８Ｃ〜８Ｎのなかで、同一の組合せパターン６、６Ａ〜６Ｎが割り当てられたものを回線種別グループ１０、１０Ａ〜１０Ｎに設定し、しかも、データベース９に格納された通信スケジュールに基づき通信内容５、５Ａ〜５Ｎの割り当てを変更できるように構成されている。なお、本実施形態では、例えば、通信内容５を診断データ収集に、通信内容５Ａをプログラム書換えに、通信内容５Ｎを初期データ設定に、それぞれ設定してある。
【００１２】
管理センター装置４は、診断端末装置２、２Ａ〜２Ｎに対する通信を行う前に、回線種別８、８Ａ、８Ｂ、８Ｃ〜８Ｎに対して、通信内容５、５Ａ〜５Ｎのいずれかを割り当てて、同一回線に対して複数の通信内容５、５Ａ〜５Ｎの通信要求が発生した場合に、組合せパターン６、６Ａ〜６Ｎにしたがって優先度の高い順に通信を行う。すなわち、例えば、回線種別８に対して、組合せパターン６が割り当てられた際には、優先度の高い通信内容５の通信処理が終わった時点で、次の優先度を持つ通信内容５Ａの通信処理を実行し、その後、順次、通信内容５Ｎまで通信処理を実行する。なお、昇降機においては、その昇降機の診断データが顧客提出となるデータであるために、通信処理する期日が日付で決定されており、診断データ収集の優先度が最も高く、かつ、診断端末装置２、２Ａ〜２Ｎの機能拡張を行うための期日が数ヶ月と長くてもよいため、プログラム書換えの優先度が低いので、組合せパターン６では、通信内容５Ａ（プログラム書換え）の通信処理よりも、通信内容５（診断データ収集）の通信処理が優先的に行われるように設定してある。
【００１３】
さらに、組合せパターン６を回線種別グループ１０に割り当てた場合、診断データ収集（通信内容５）と診断端末装置２、２Ａ……２Ｎのいずれかのプログラム書換え（通信内容５Ａ）が、同時にスケジューリングされても、優先順位の高い診断データ収集（通信内容５）が先に処理されるため、回線種別グループ１０が必要回線数を確保してあれば、要求期日までに通信処理を完了させることができる。
【００１４】
このとき、回線種別グループ１０Ａでは、プログラム書換え（通信内容５Ａ）の優先順位を、診断データ収集（通信内容５）よりも高く定義してあると、プログラム書換え（通信内容５Ａ）を先に処理されることができる。そのため、診断データ収集（通信内容５）が優先的に通信処理されている中でも、プログラム書換え（通信内容５Ａ）の通信処理を一定数確保することができる。
【００１５】
図２の診断端末装置２、２Ａ〜２Ｎの日別アクセス分布曲線ＴＣに示すように、診断データ収集（通信内容５）を通信処理する件数は、日毎に異なっている。そのため、回線種別グループ１０で確保する必要がある回線数も、日毎に異なっている。したがって、管理センター装置４の限界処理件数ＣＭに対しての処理件数の尤度ＬＭ分（縦線部分）の通話回線に、例えば、診断データ収集（通信内容５）よりも優先順位の低いプログラム書換え（通信内容５Ａ）の通信を割り当てておくことで、常時、通話回線を１００％利用することが可能となる。なお、図２において、符号ＣＭは、管理センター装置４の限界処理件数、符合ＬＭは処理件数の尤度を、それぞれ表している。
【００１６】
回線種別グループ１０、１０Ａ〜１０Ｎに対する組合せパターン６、６Ａ〜６Ｎの割り当ては、割り当て処理部７によって、通信開始前に行われる。すなわち、割り当て処理部７は、データベース９に格納される図２に示すところの別アクセス分布曲線ＴＣを用いて、管理センター装置４の最大処理件数ＣＭに対するその日の処理件数Ｘを抽出し、その処理件数Ｘを、１件当たりの処理時間×回線数の値で割ることによって算出した数値の、小数点第１位を切り上げることによって得られる数を必要回線数として、回線種別グループ１０、１０Ａ〜１０Ｎに組合せパターン６、６Ａ〜６Ｎを割り当てる。
【００１７】
また、回線種別グループ１０Ａに割り当てる組合せパターン６Ａの優先度を、通信内容５（診断データ収集）よりも通信内容５Ａ（プログラム書換え）を高く設定しておくと、回線種別グループ１０Ａでプログラム書換えを実施しない場合には、その回線種別グループ１０Ａで診断データ収集を実施することができるため、診断データ収集を早期に処理することが可能となる。
【００１８】
上記実施形態によれば、通信内容５、５Ａ〜５Ｎの回線取得の優先順位を、回線種別８、８Ａ、８Ｂ、８Ｃ〜８Ｎ毎に異ならせることができると共に、データベース９に格納された通信スケジュールに基づき通信内容５、５Ａ〜５Ｎの割り当てを、日毎に変えることができるので、通信回線３の空き時間を最小限に抑えることができ、通信回線３や通信機器類の増設を最小限に抑えることができる。
【００１９】
さらに、上記実施形態によれば、通信内容５、５Ａ〜５Ｎの回線取得の優先順位を、時間帯、用途などの緊急度に応じて最適な順位に設定すると共に、その通信内容５、５Ａ〜５Ｎのいずれかを回線種別８、８Ａ、８Ｂ、８Ｃ〜８Ｎに対して割り当てることによって、昇降機の使用に合った通信回線３の有効利用が可能となり、使い勝手のよい昇降機用データ通信システムがえられる。
【図面の簡単な説明】
【００２０】
【図１】本発明の一実施形態に係わり、昇降機用データ通信システムの要部構成を示すブロック図である。
【図２】本発明の一実施形態に係わり、昇降機用データ通信システムおける診断端末装置の日別アクセス分布曲線図である。
【符号の説明】
【００２１】
１    昇降機用データ通信システム
２、２Ａ〜２Ｎ  診断端末装置
３    通話回線
４    管理センター装置
５、５Ａ〜５Ｎ  通信内容
６、６Ａ〜６Ｎ  組合せパターン
７    割り当て処理部
８、８Ａ、８Ｂ、８Ｃ〜８Ｎ  回線種別
９    データベース
１０、１０Ａ〜１０Ｎ  回線種別グループ
ＴＣ  診断端末装置の日別アクセス分布曲線
ＣＭ  管理センター装置の限界処理件数
ＬＭ  処理件数の尤度
【図１】
2006319630.tif 000003
【図２】
2006319630.tif 000004